(57)【特許請求の範囲】
【請求項１】
係止具が固定部と固定部に連続する弾性体からなる架橋部とこの架橋部に連続する把持部とからなり、固定部がフランジ外面に固定され、かつ架橋部が固定部からフランジ外面から離間するように伸びた後、リ−ルのフランジに穿孔した貫通孔の上空で当該貫通孔に向かう屈曲部が形成された金属線条体用リ−ルにおいて、金属線条体を挟む係止具の把持部の表面に金属線条体の先端を内向きに曲げるように規制する溝を形成したことを特徴とする金属線条体用リール。
【発明の詳細な説明】
【０００１】
【発明の属する技術分野】
この発明はスチールコードやワイヤ等の金属線条体の巻装するリールに関し、具体的には、リールに巻装した金属線条体の端末部を係止した際にその方向を規制したリ−ルに係るものである。
【０００２】
【従来の技術】
従来、主に巻胴とフランジから構成される一般的なリールとして、巻胴部に巻装が終了した金属線条体の端末部を係止するため、フランジの外周部分に穿設させられた線条体の導出孔と、当該導出孔に近接するフランジの外端面でその外周縁に固着されたクリップ状の係止具を備えたものであった。そして、巻胴部に巻装した金属線条体の端末部を導出孔よりフランジの外側に導出して、係止具にて係止しているので、端末部がフランジの外側に存在し、このため、運搬・保管時等において邪魔になるばかりか、解線する場合に端末部を係止具より外して、導出孔より巻胴部側に移さなければならず、解線作業に手数を要していた。
【０００３】
又、スチールコード等の金属線条体を導出孔に挿入するにあたり、スチールコードの端末部の先端は、通常ばらけているケ−スが多く、この場合には先端を修正する必要が生じ、このため、端末部先端を導出孔に案内誘導することに関しては、自動化することが困難であり、人手による方法しかなく大きな作業負荷となっていた。
【０００４】
本出願人はこの従来技術に対して新規な金属線条体用リ−ルを提案している。これはフランジに設けた導出孔に金属線条体を通過させることなく、簡単に係止・解線することができるリ−ルであって、作業性を大幅に向上させた極めて都合のよいものとなっている。
【０００５】
図６は既提案の金属線条体用リ−ル２０の側断面図である。図中、２１はフランジ、２２はそこにあけられた貫通孔である。そして係止具３０は固定部３１、把持部３３、これを繋ぐ架橋部３２とよりなっており、金属線条体の係止の際には架橋部３２を変形させ、把持部３３を貫通孔２２よりフランジ２１の内側に突出させ、金属線条体Ｗをフランジ２１の内面側で挟み込んでしまうものである。即ち、係止具３０の把持部３３は、金属線条体Ｗの巻取り時はフランジ２１の内面より突出してはいないため、金属線条体Ｗは係止具３０に接触することなく巻き取ることができることとなったものである。
【０００６】
【発明が解決しようとする課題】
このように既提案のリ−ルは特徴あるものとなっているが、金属線条体Ｗの先端がリ−ル２０のフランジ外縁２３をこえると、リ−ル２０の運搬時に金属線条体Ｗの先端部が他の部材に衝突したり、こすれた合ったりしてバラケてしまうことがあった。
【０００７】
本発明はこの金属線条体Ｗの先端部の向きを係止具にて係止した際に、一定の方向即ちリ−ルの内向きにこれを制御しようとするものである。
【０００８】
【課題を解決するための手段】
本発明は以上の課題を解決するためになされたものであって、発明の第１は、係止具が固定部と固定部に連続する弾性体からなる架橋部とこの架橋部に連続する把持部とからなり、固定部がフランジ外面に固定され、かつ架橋部が固定部からフランジ外面から離間するように伸びた後、リ−ルのフランジに穿孔した貫通孔の上空で当該貫通孔に向かう屈曲部が形成された金属線条体用リ−ルにおいて、金属線条体を挟む係止具の把持部の表面に金属線条体の先端を内向きに曲げるように規制する溝を形成したことを特徴とする金属線条体用リールにかかるものである。
【００１０】
【発明の実施の形態】
本発明の第１にあっては、金属線条体のリ−ルにあってリ−ルの内面側で金属線条体を係止すると共に、その係止された金属線条体の先端が内向きにのびるように制御する手段を構成したものである。即ち、係止具とリ−ルの内面とによって金属線条体が挟まれて係止するが、この金属線条体を挟みつける少なくとも一方側に金属線条体の先端の伸びる方向を規制するものである。このため、金属線条体の先端は係止された際にリ−ルのフランジ部より突出してしまうようなことはなく、従って先端がばらけることもなったものである。
【００１１】
尚、係止具の把持部とリ−ルの貫通孔の関係にあっては、架橋部をリ−ルの外側より押すことによって把持部を貫通孔より内側に突出させる手段と、予め把持部を貫通孔内を通過させておき、把持部に対応してリ−ルの内側より窪み部を形成しておく手段とがある。
【００１２】
【実施例】
以下、本発明のリ−ルを図面をもって更に詳細に説明する。
図１は本発明の第１の第１実施例の係止具近傍の斜視図であり、図２は金属線条体Ｗを係止した際のリ−ル内面側から見た平面図である。
図中、１は係止具であり、２はリ−ル外面に固定された固定部、３はこれより斜め上方に伸びる架橋部、４は水平部、５は垂下部、６は把持部であり、この把持部６に対してリ−ル１０に貫通孔１１を形成したものである。そして、通常は把持部６はリ−ル１０の内面には突出しておらず、水平部４をリ−ル１０の外側より押すことによって把持部６が貫通孔１１を通ってリ−ル１０の内側に突出するもので、把持部６にて金属線条体Ｗを挟み、リ−ル１０の内面との間で係止するものである。
【００１３】
この係止具１にあって、把持部６の金属線条体Ｗを挟む面に案内溝７0 を形成したものであり、これは金属線条体Ｗを挟んだ際にこの案内溝７0 内に嵌合させ、金属線条体Ｗの先端側をリ−ル１０に対して内向きに曲げた状態で係止しようとするものである。
【００１４】
図３は本発明の第１の第２実施例の係止具のみを取り出した斜視図であり、把持部６の金属線条体Ｗを挟む両縁部に左右に窪み溝７1 、７2 を形成したものであり、図４に示すように金属線条体Ｗが挟まれた際この窪み溝７1 、７2 に納まって係止され、結果として金属線条体Ｗの先端側が内向きに曲げられて係止されることとなる。尚、この窪み溝７1 、７2 間に図１に示す溝７0 を形成すれば更に確実に曲げることができる。
【００１５】
図５は本発明の第２における第１実施例であり、前記したように金属線条体Ｗは把持部６とリ−ル１０の内面、即ち貫通孔１１の両縁とにて挟まれるが、このリ−ル１０の貫通孔１１に臨む内面側に金属線条体Ｗの方向性を規制する案内溝１２を形成したものである。点線はこの場合の金属線条体Ｗを示すもので、その先端側に案内溝１２を形成したものであり、この金属線条体Ｗの先端側がリ−ルの内向きに曲げるように規制したものである。尚、案内溝１２は貫通孔１１に臨む内面両側に形成することもできることは勿論である。
【００１６】
尚、図示はしないが、本発明の第１と第２とを共に採用することによって更に確実な効果が得られることは勿論である。
【００１７】
【発明の効果】
本発明は金属線条体の先端をリ−ルの内向きになるように規制されたものであって、その先端のばらけはほとんどなくなることとなる。
【図面の簡単な説明】
【図１】図１は本発明の第１における第１実施例の主要部の拡大斜視図である。
【図２】図２は図１におけるリ−ル内面側の平面図である。
【図３】図３は本発明の第１における第２実施例の係止部の拡大斜視図である。
【図４】図４は図３におけるリ−ル内面側の平面図である。
【図５】図５は本発明の第２におけるリ−ル内面側の平面図である。
【図６】図６は従来の金属線条体用リ−ルの斜視図である。
【符号の説明】
１‥‥係止具、
２‥‥係止具の固定部、
３‥‥係止具の架橋部、
４‥‥係止具の水平部、
５‥‥係止具の垂下部、
６‥‥係止具の把持部、
７0 ‥‥係止具の把持部に形成した案内溝、
７1 、７2 ‥‥係止具の把持部に形成した窪み溝、
１０‥‥リ−ル、
１１‥‥リ−ルに穿孔した貫通孔、
１２‥‥貫通孔に臨む案内溝、
Ｗ‥‥金属線条体。
【図１】
0003869069.tif 000002
【図２】
0003869069.tif 000003
【図３】
0003869069.tif 000004
【図４】
0003869069.tif 000005
【図５】
0003869069.tif 000006
【図６】
0003869069.tif 000007